(57)【要約】【課題】複数の発光ダイオードが発生する熱エネルギーを効率よく外部へ拡散する。【解決手段】発光ダイオードを光源とする投光器２が平面状に複数固定され光を透過させる保護カバー３が複数の投光器を覆うように一方の板面４ａに固定されている取付基板４と、投光器で発生した熱を放熱するために取付基板の他方の板面４ｂから突出した状態で固定されている複数の板状冷却フィン５と、収納凹部６ａを有し取付基板が固定されているハウジング６とを備え、取付基板はハウジングの内周壁６ｄとの間に外気取り入れ用空間Ｓが生じるように形成され、複数の板状冷却フィンは外気取り入れ用空間上に突出して当該外気取り入れ用空間から入り込む外気によって冷却されるように形成されていると共に、ハウジングは板状冷却フィンの放熱作用によって暖められた外気取り入れ用空間から入り込んだ外気を外部に放出するスリット６３を複数設けている。【選択図】図１
2009238734.tif 000002
【特許請求の範囲】
【請求項１】
発光ダイオードを光源とする投光器が平面状に複数固定され光を透過させる保護カバーが前記複数の投光器を覆うように一方の板面に固定されている取付基板と、
前記複数の投光器で発生した熱を放熱するために前記取付基板の他方の板面から突出した状態で固定されている複数の板状冷却フィンと、
収納凹部を有し、前記複数の板状冷却フィンが当該収納凹部内及び前記保護カバーが当該収納凹部の開口面側にそれぞれ位置するように前記取付基板が固定されているハウジングとを備え、
前記取付基板は前記ハウジングの内周壁との間に外気取り入れ用空間が生じるように形成され、前記複数の板状冷却フィンは前記外気取り入れ用空間上に突出して当該外気取り入れ用空間から入り込む前記外気によって冷却されるように形成されていると共に、前記ハウジングは前記複数の板状冷却フィンの放熱作用によって暖められた前記外気取り入れ用空間から入り込んだ前記外気を外部に放出するスリットを複数設けていることを特徴とする照明灯。
【請求項２】
前記複数の板状冷却フィンの前記外気取り入れ用空間内における占有面積は、鳥等の動物が前記ハウジングの前記収納凹部内に前記開口面から入り込めないような大きさであることを特徴とする請求項１記載の照明灯。
【請求項３】
前記取付基板と前記板状冷却フィンとは、同一の導熱性の材質であることを特徴とする請求項１又は請求項２記載の照明灯。
【請求項４】
前記ハウジング、前記取付基板及び前記板状冷却フィンは、少なくとも当該ハウジングがマグネシウム合金で形成されていることを特徴とする請求項１乃至請求項３のうち何れか１項に記載の照明灯。
【請求項５】
前記スリットを前記ハウジングに設ける位置は、前記発光ダイオードの照射方向に応じて前記複数の板状冷却フィンの放熱作用によって暖められた前記外気が上昇する方向に定められることを特徴とする請求項１乃至請求項４のうち何れか１項に記載の照明灯。
【発明の詳細な説明】
【技術分野】
【０００１】
本発明は照明灯に係り、特に発光ダイオード（以下、「ＬＥＤ」という。）を光源とする照明灯に関する。
【背景技術】
【０００２】
地球温暖化防止の推進に向けた取り組みを進めるために制定されたエネルギーの使用の合理化に関する法律（以下「省エネ法」という。）を遵守するために、近年、照明においても種々の取り組みがなされており、例えば、ＬＥＤを光源とする照明灯が開発されている（例えば、特許文献１参照。）。このＬＥＤを光源とする照明灯は、消費電力が極めて少なく長寿命で、而も電流で容易に輝度を制御でき、応答速度が速く発光を安定させることができるので、白熱電球などに替わる新しい照明として注目されている。
【０００３】
このＬＥＤを光源とする照明灯は、複数のＬＥＤから構成される光源と、複数のＬＥＤが取り付けられるＬＥＤ取付基板と、複数のＬＥＤが取り付けられたＬＥＤ取付基板を収納するケースとを備えている。また、ケースには複数のＬＥＤが位置する側に開口部が形成され、この開口部は透明の保護カバーによって覆われて、ケース内部には外気が入らない構造になっている。
【０００４】
さらに、このＬＥＤを光源とする照明灯は、ＬＥＤが発光すると熱エネルギーが発生するので、ケースに放熱作用を持たせている（例えば、特許文献２、特許文献３参照。）。特許文献２のＬＥＤ照明装置は、ＬＥＤ取付基板がケースの底部に放熱固定板を介して固定され、放熱固定板にはケースの底部に埋め込まれる複数の放熱フィンが形成されている。また、特許文献３のハイパワーＬＥＤを使用する街灯の散熱構造は、ケースが上蓋及び下蓋で構成され、下蓋にはＬＥＤ取付基板及び保護カバーが取り付けられ、上蓋の外周には散熱ヒダが形成されている。
【０００５】
【特許文献１】特開２００１−２５６８０５号公報
【特許文献２】特開２００２−２９９７００号公報
【特許文献３】登録実用新案第３１２７９３８号公報
【発明の開示】
【発明が解決しようとする課題】
【０００６】
しかしながら、背景技術に記載したＬＥＤ照明装置やハイパワーＬＥＤを使用する街灯の散熱構造は、放熱フィンあるいは散熱ヒダで各ＬＥＤからの熱を放熱することができるが、ケースは密閉構造なので、各ＬＥＤからの熱がケース内部で対流して外部に効率よく放熱することができなかった。
【０００７】
本発明は、このような従来の難点を解消するためになされたもので、複数のＬＥＤが発光することにより発生する熱エネルギーを効率よく放熱できる照明灯を提供することを目的とする。
【課題を解決するための手段】
【０００８】
上述の目的を達成する本発明の照明灯は、ＬＥＤを光源とする投光器が平面状に複数固定され光を透過させる保護カバーが複数の投光器を覆うように一方の板面に固定されている取付基板と、複数の投光器で発生した熱を放熱するために取付基板の他方の板面から突出した状態で固定されている複数の板状冷却フィンと、収納凹部を有し、複数の板状冷却フィンが当該収納凹部内、及び保護カバーが当該収納凹部の開口面側にそれぞれ位置するように取付基板が固定されているハウジングとを備え、取付基板はハウジングの内周壁との間に外気取り入れ用空間が生じるように形成され、複数の板状冷却フィンは外気取り入れ用空間上に突出して当該外気取り入れ用空間から入り込む外気によって冷却されるように形成されていると共に、ハウジングは複数の板状冷却フィンの放熱作用によって暖められた外気取り入れ用空間から入り込んだ外気を外部に放出するスリットを複数設けているものである。
【０００９】
このような第１の態様である照明灯によれば、複数の投光器が発光してその熱が取付基板を介して複数の板状冷却フィンに伝達すると、その複数の板状冷却フィンから放散された熱によって熱上昇気流が生じて外気取り入れ用空間から外気が吸い込まれ、さらにその吸い込まれた外気は複数の板状冷却フィン間の狭められた空間を通過することからベンチュリー効果により熱上昇気流の速度が加速して、通常の雰囲気状態よりも多量の空気が複数の板状冷却フィン間を通過することになるので、冷却効率を大幅に高めることができる。
【００１０】
本発明の第２の態様は第１の態様である照明灯において、複数の板状冷却フィンの外気取り入れ用空間内における占有面積は、鳥等の動物が前記ハウジングの収納凹部内に開口面から入り込めないような大きさである。従来の照明灯は密閉構造なので、鳥等の動物が入り込むことはないが、本発明の照明灯では取付基板とハウジングの開口端との間に外気取り入れ用空間が形成されているので、本発明の第２の態様では複数の板状冷却フィンが外気取り入れ用空間に突出していることを利用して、その複数の板状冷却フィンの外気取り入れ用空間における占有面積を、鳥等の動物がハウジングの収納凹部内に開口面から入り込まないようにすることができる。
【００１１】
本発明の第３の態様は第１の態様又は第２の態様である照明灯において、取付基板と板状冷却フィンとは、同一の導熱性の材質である。このような第３の態様である照明灯によれば、熱伝導率が同一になるので、熱伝達効率がよくなる。
【００１２】
本発明の第４の態様は第１の態様乃至第３の態様のうち何れか１態様である照明灯において、ハウジング、取付基板及び板状冷却フィンは、少なくとも当該ハウジングがマグネシウム合金で形成されているものである。このような第４の態様である照明灯によれば、熱伝導率が高く而も軽量な金属で形成されているので、冷却効率を大幅に高めることに寄与させることができると共に、照明灯を設置しやすくなる。
【００１３】
本発明の第５の態様は第１の態様乃至第４の態様のうち何れか１態様である照明灯において、スリットをハウジングに設ける位置は、ＬＥＤの照射方向に応じて複数の板状冷却フィンの放熱作用によって暖められた外気が上昇する方向に定められるものである。このような第４の態様である照明灯によれば、効率よく複数の板状冷却フィンから放散された熱を外部に逃がすことができるので、冷却効率を高めることができる。
【発明の効果】
【００１４】
本発明の照明灯によれば、外気を灯具空間内に効率よく取り込むと共にその外気を直接板状冷却フィンに導き、さらにスリットへと逃がすことができるので、複数のＬＥＤが発光することにより発生する熱エネルギーを効率よく外部へ拡散することができる。
【発明を実施するための最良の形態】
【００１５】
以下、本発明の照明灯を実施するための最良の形態例について、図面を参照して説明する。図１は本発明の照明灯１による最良な実施の一形態を示す全体斜視図である。図２は本発明の照明灯１を光源側から見た状態を示す正面図である。図３は図２の照明灯１を上面から見た状態を示す平面図である。図４は図２の照明灯１を左側面から見た状態を示す左側面図である。図５は図２の照明灯１を右側面から見た状態を示す右側面図である。図６は図２の照明灯１を下面から見た状態を示す底面図である。図７は図２の照明灯１を背面から見た状態を示す背面図である。図８は図２における断面ＸＸを示す断面図である。図９は図２における断面ＹＹを示す断面図である。図１０は図７における断面ＺＺを示す断面図である。なお、照明灯１に関する図面の全体を通じて同一要素には同一参照番号を付す。また、図１においては、投光器は省略されている。また、図１、図２においては保護カバー３は透明なので、投光器２は実線で示してある。
【００１６】
本発明の照明灯１は図１〜図９に示すように、ＬＥＤを光源とする投光器２が平面状に複数固定され、光を透過させる保護カバー３が複数の投光器２を覆うように一方の板面４ａに固定されている取付基板４と、複数の投光器２で発生した熱を放熱するために取付基板４の他方の板面４ｂから突出した状態で固定されている複数の板状冷却フィン５と、収納凹部６ａを有し、複数の板状冷却フィン５が当該収納凹部６ａ内、及び保護カバー３が当該収納凹部６ａの開口面側にそれぞれ位置するように取付基板４が固定されているハウジング６とを備えている。このような照明灯１は、外形が、円錐台１ａと、円錐台１ａの外径の大きい側に設けられた円柱１ｂとが組み合わされた形状で、ハウジング６の開口面となる開口端６ｂは円形状に形成されている。なお、投光器２は、ＬＥＤから発光された指向性のある光をレンズ部によって拡散することができ、図中においては、６４個が円形状に年輪のように配列されている。
【００１７】
ハウジング６は、照明灯１の外形であり、中空の円錐台１ａ部分と、中空の円錐台１ａ部分の外径の大きい側に設けられた中空の略円柱１ｂ部分とが組み合わされた形状で、開口端６ｂは円形状に形成されている。円錐台１ａ部分の外径の小さい側には、各投光器２に所定の電力を供給するための電源部が収納される有底の円筒部材から成るソケット体６１が、上壁６ｃから一部突出するように設けられている。このソケット体６１の一部突出した部位には、コの字形の取っ手６２が固定されている。また、ハウジング６の円錐台１ａ部分の周壁上には全体に亘って複数のスリット６３が穿孔されている。さらに、ハウジング６の開口端６ｂにおける内周壁６ｄには図２、図１０に示すように、直径方向の線上における２箇所に取付基板４を固定するためのブラケット６４、６５が設けられている。このようなハウジング６は、例えばマグネシウム合金、アルミニウム合金、銅などの熱伝導率の高い金属で形成されていることが好ましいが、照明灯１は軽量なほうが設置しやすくなるので、マグネシウム合金が好適である。特に、大きな照明灯１の場合には軽量化による設置し易さは顕著である。
【００１８】
次に、複数の投光器２、保護カバー３及び複数の板状冷却フィン５を取り付けた取付基板４について図１１〜図１８に基づき説明する。
【００１９】
図１１〜図１８は本発明の照明灯の構成要素の一部である投光器２、保護カバー３及び複数の板状冷却フィン５を取付基板４に取り付けた状態を示す図である。図１１は本発明の照明灯を光源側から見た場合における取付基板４の状態を示す正面図である。図１２は本発明の照明灯を上面から見た場合における取付基板４の状態を示す平面図である。図１３は本発明の照明灯を左側面から見た場合における取付基板４の状態を示す左側面図である。図１４は本発明の照明灯を右側面から見た場合における取付基板４の状態を示す右側面図である。図１５は本発明の照明灯を下面から見た場合における取付基板４の状態を示す底面図である。図１６は本発明の照明灯を背面から見た場合における取付基板４の状態を示す背面図である。図１７は図１１における断面ＸＸを示す断面図である。図１８は図１１における断面ＹＹを示す断面図である。なお、図１１〜図１５においては保護カバー３は透明なので、投光器２は実線で示してある。
【００２０】
取付基板４は図２に示すように、ハウジング６の略円柱１ｂ部分における内周壁６ｄとの間に外気取り入れ用空間Ｓが生じるように形成されている。具体的には図２、図１１〜図１８に示すように、ハウジング６の略円柱１ｂ部分における内径より小さい外径で形成された円板から成る基部４ｃと、ハウジング６の開口端６ｂにおける内周壁６ｄに設けられたブラケット６４、６５に取付基板４を固定するために、基部４ｃの外径から直径方向に突出するように当該直径方向の線上に形成された取付座４ｄ、４ｅとから構成されている。この取付座４ｄ、４ｅをハウジング６のブラケット６４、６５に載置して、例えば図４、図５、図７に示すようなねじ６６でねじ止して、取付基板４をハウジング６に組み込むことができる。
【００２１】
保護カバー３は図１１〜図１５、図１７、図１８に示すように、取付基板４の外周に沿って複数の投光器２を覆うように形成され、外側部位は段差で低く形成され、この段差部３１がねじ止めなどによって一方の板面４ａに固定されている。この保護カバー３は、例えば、ポリカーボネート、アクリル樹脂等の透明な合成樹脂で形成されている。また、保護カバー３の段差部３１は、取付基板４に固定されている縁カバー３２によって覆われていている。
【００２２】
複数の板状冷却フィン５は図１１〜図１８、図１、図２に示すように、外気取り入れ用空間Ｓ上に突出して当該外気取り入れ用空間Ｓから入り込む外気によって冷却されるように形成されている。具体的には、板状冷却フィン５は長方形に形成され、長手方向が取付基板４の取付座４ｄ、４ｅの形成方向である直径方向に対して直交する方向に沿って配置されている。また、複数の板状冷却フィン５は、取付基板４の取付座４ｄ、４ｅの形成方向である直径方向に沿って等間隔に並列されている。この板状冷却フィン５間の間隔は、ハウジング６内においてベンチュリー効果が生じるような狭い空間で形成されている。例えば、ハウジング６の最大直径が４３０ｍｍ、長さが５００ｍｍの場合には、板厚１ｍｍの板状冷却フィン５を５ｍｍ間隔で配列することでベンチュリー効果を生じさせることが可能である。このように板状冷却フィン５間の間隔を形成することで、この板状冷却フィン５間を通過する外気の流速を増加させることができる。
【００２３】
各板状冷却フィン５の両端部は、ハウジング６の略円柱１ｂ部分における内周壁６ｄに沿って形成され、さらに、複数の板状冷却フィンの外気取り入れ用空間Ｓ内における占有面積は、鳥等の動物がハウジング６の収納凹部６ａ内に開口面から入り込めないような大きさである。従来の照明灯は密閉構造なので、鳥等の動物が入り込むことはないが、本発明の照明灯１では取付基板４とハウジング６の内周壁６ｄとの間に外気取り入れ用空間Ｓが形成されているので、複数の板状冷却フィン５が外気取り入れ用空間Ｓに突出していることを利用して、その複数の板状冷却フィン５の外気取り入れ用空間Ｓにおける占有面積を、鳥等の動物がハウジング６の収納凹部６ａ内に開口面から入り込まないようにすることができる。このような板状冷却フィン５は、取付基板４と同一の導熱性の材質が好ましい。取付基板４と板状冷却フィン５を同一の導熱性の材質にすることで熱伝導率が同一になるので、熱伝達効率がよくなる。この取付基板４及び板状冷却フィン５の導熱性の材質としては、ハウジング６と同様に、例えばマグネシウム合金、アルミニウム合金、銅などの熱伝導率の高い金属で形成されていることが好ましいが、照明灯１は軽量なほうが設置しやすくなるので、マグネシウム合金が好適である。なお、取付基板４及び板状冷却フィン５の何れか一方がマグネシウム合金、アルミニウム合金、銅などの熱伝導率の高い金属で形成されていてもよい。
【００２４】
この複数の投光器２、保護カバー３及び複数の板状冷却フィン５を取り付けた取付基板４は、ハウジング６の円柱１ｂ部分に配置され、ハウジング６の円錐台１ａ部分にはソケット体６１が配置されている。
【００２５】
このように、流入流路である外気取り入れ用空間Ｓより流入した外気が流れるための空気流路をハウジング６内に形成した照明灯１について、複数のＬＥＤが発光することにより発生する熱エネルギーを外部へ拡散する動作について説明する。
【００２６】
照明灯１を点灯することで複数の投光器２が発光すると、各ＬＥＤで発生した熱が取付基板４を介して複数の板状冷却フィン５に伝達するので、その複数の板状冷却フィン５から放散された熱によって熱上昇気流が生じて外気取り入れ用空間Ｓから外気が吸い込まれる。その吸い込まれた外気は複数の板状冷却フィン５間の狭い空間を通過することからベンチュリー効果により熱上昇気流の流速が増加して、通常の雰囲気状態よりも多量の空気が複数の板状冷却フィン５間を通過することになる。さらに、複数の板状冷却フィン５の放熱作用によって暖められた外気取り入れ用空間Ｓから入り込んだ外気は、複数の板状冷却フィン５より上方に位置する複数のスリット６３によって外部に放出される。
【００２７】
このように、外気を灯具空間内に効率よく取り込むと共にその外気を直接、板状冷却フィン５に導き、さらにスリット６３へと逃がすことができるので、冷却効率を大幅に高めることができる。したがって、発熱量の多いハイパワーＬＥＤに好適である。
【００２８】
なお、上述した照明灯１は、外形が、円錐台１ａと、円錐台１ａの外径の大きい側に設けられた円柱１ｂとが組み合わされた形状で、ハウジング６の開口面となる開口端６ｂは円形状に形成されていたが、これに限らず、図１９〜図２６に示すような外形が角錐台１００ａから成る形状で、開口面を矩形状に形成されている照明灯１００でもよい。
【００２９】
図１９は本発明の照明灯１００による最良な実施の一形態を示す図で、照明灯１００を光源側から見た状態を示す正面図である。図２０は図１９の照明灯１００を上面から見た状態を示す平面図である。図２１は図１９の照明灯１００を左側面から見た状態を示す左側面図である。図２２は図１９の照明灯１００を右側面から見た状態を示す右側面図である。図２３は図１９の照明灯１００を下面から見た状態を示す底面図である。図２４は図１９の照明灯１００を背面から見た状態を示す背面図である。図２５は図１９における断面ＸＸを示す断面図である。図２６は図１９における断面ＹＹを示す断面図である。なお、照明灯１００に関する図面を通じて同一要素には同一参照番号を付す。また、図１９においては保護カバー３００は透明なので、投光器２００は実線で示してある。
【００３０】
本発明の照明灯１００は図１９〜図２６に示すように、ＬＥＤを光源とする投光器２００が平面状に複数固定され、光を透過させる保護カバー３００が複数の投光器２００を覆うように一方の板面４００ａに固定されている取付基板４００と、複数の投光器２００で発生した熱を放熱するために取付基板４００の他方の板面４００ｂから突出した状態で固定されている複数の板状冷却フィン５００と、収納凹部６００ａを有し、複数の板状冷却フィン５００が当該収納凹部６００ａ内、及び保護カバー３００が当該収納凹部６００ａの開口面側にそれぞれ位置するように取付基板４００が固定されているハウジング６００とを備えている。なお、投光器２００は、上述した照明灯１の投光器２と同様に、ＬＥＤから発光された指向性のある光をレンズ部によって広角に照射することができ、図中においては、３２個が６列に並べて分割されて配列されている。
【００３１】
ハウジング６００は、照明灯１００の外形であり、中空の角錐台１００ａから成る形状で、ハウジング６００の開口面となる開口端６００ｂは矩形状に形成されている。このハウジング６００の上壁６００ｃには、各投光器２に所定の電力を供給するための電源部が収納される電源ボックス６０１が固定されている。また、ハウジング６００の対辺となる一対の側面６０２、６０３の開口端６００ｂ近傍には、コの字形の取っ手６０４がねじ６０５、６０６で固定されている。さらに、ハウジング６００の一対の側面６０２、６０３とは異なる対辺となる一対の側面６０７、６０８には、それぞれ複数のスリット６０９、６１０が穿孔されている。この複数のスリット６０９、６１０をハウジング６００に設ける位置は、投光器２００のＬＥＤの照射方向に応じて複数の板状冷却フィン５００の放熱作用によって暖められた外気が上昇する方向に定められる。このようにスリットの位置を定めることで、効率よく複数の板状冷却フィン５００から放散された熱を外部に逃がすことができるので、冷却効率を高めることができる。このようなハウジング６００は、例えばマグネシウム合金、アルミニウム合金、銅などの熱伝導率の高い金属で形成されていることが好ましいが、照明灯１００は軽量なほうが設置しやすくなるので、マグネシウム合金が好適である。特に、大きな照明灯１００の場合には軽量化による設置し易さは顕著である。
【００３２】
次に、複数の投光器２００、保護カバー３００及び複数の板状冷却フィン５００を取り付けた取付基板４００について図２７〜図３４に基づき説明する。
【００３３】
図２７〜図３４は本発明の照明灯の構成要素の一部である投光器２００、保護カバー３００及び複数の板状冷却フィン５００を取付基板４００に取り付けた状態を示す図である。図２７は本発明の照明灯を光源側から見た場合における取付基板４００の状態を示す正面図である。図２８は本発明の照明灯を上面から見た場合における取付基板４００の状態を示す平面図である。図２９は本発明の照明灯を左側面から見た場合における取付基板４００の状態を示す左側面図である。図３０は本発明の照明灯を右側面から見た場合における取付基板４００の状態を示す右側面図である。図３１は本発明の照明灯を下面から見た場合における取付基板４００の状態を示す底面図である。図３２は本発明の照明灯を背面から見た場合における取付基板４００の状態を示す背面図である。図３３は図２７における断面ＸＸを示す断面図である。図３４は図２７における断面ＹＹを示す断面図である。なお、図２７〜図３１においては保護カバー３００は透明なので、投光器２００は実線で示してある。
【００３４】
取付基板４００は図１９に示すように、ハウジング６００の一対の側面６０７、６０８の各内周壁６００ｄとの間に外気取り入れ用空間Ｓが生じるように形成されている。この取付基板４００には、ハウジング６００の一対の側面６０２、６０３の開口端６００ｂ近傍に、コの字形の取っ手６０４を固定するねじ６０５、６０６を流用して一対の側面６０２、６０３に固定するための取付座４００ｃ、４００ｄが形成されている。この取付座４００ｃ、４００ｄをハウジング６００の開口面となる開口端６００ｂに嵌め込み、ねじ６０５、６０６で一対の側面６０２、６０３にねじ止めすることで、取付基板４００をハウジング６００に組み込むことができる。
【００３５】
保護カバー３００は図２７〜図３１、図３３、図３４に示すように、取付基板４００の外周に沿って複数の投光器２００を覆うように形成され、外側部位は段差で低く形成され、この段差部３０１がねじ止めなどによって一方の板面４００ａに固定されている。この保護カバー３００は、例えば、ポリカーボネート、アクリル樹脂等の透明な合成樹脂で形成されている。また、保護カバー３００の段差部３０１は、取付基板４００に固定されている縁カバー３０２によって覆われていている。
【００３６】
複数の板状冷却フィン５００は図２７〜図３４、図１９に示すように、外気取り入れ用空間Ｓ上に突出して当該外気取り入れ用空間Ｓから入り込む外気によって冷却されるように形成されている。具体的には、板状冷却フィン５００は長方形に形成され、取付基板４００をハウジング６００に組み込んだ際、長手方向がハウジング６００の一対の側面６０２、６０３に沿うように取付基板４００に固定されている。また、複数の板状冷却フィン５は、ハウジング６００の一対の側面６０７、６０８に沿って等間隔に並列されている。この板状冷却フィン５００間の間隔は、ハウジング６００内においてベンチュリー効果が生じるような空間に形成されている。このように板状冷却フィン５００間の間隔を形成することで、この板状冷却フィン５００間を通過する外気の流速を増加させることができる。
【００３７】
各板状冷却フィン５００の端部は、ハウジング６００の一対の側面６０７、６０８に沿って形成され、さらに、複数の板状冷却フィンの外気取り入れ用空間Ｓ内における占有面積は、鳥等の動物がハウジング６００の収納凹部６００ａ内に開口面から入り込めないような大きさである。従来の照明灯は密閉構造なので、鳥等の動物が入り込むことはないが、本発明の照明灯１００では取付基板４００とハウジング６００の内周壁６００ｄとの間に外気取り入れ用空間Ｓが形成されているので、複数の板状冷却フィン５００が外気取り入れ用空間Ｓに突出していることを利用して、その複数の板状冷却フィン５００の外気取り入れ用空間Ｓにおける占有面積を、鳥等の動物がハウジング６００の収納凹部６００ａ内に開口面から入り込まないようにすることができる。このような板状冷却フィン５００は、取付基板４００と同一の導熱性の材質が好ましい。取付基板４００と板状冷却フィン５００を同一の導熱性の材質にすることで熱伝導率が同一になるので、熱伝達効率がよくなる。この取付基板４００及び板状冷却フィン５００の導熱性の材質としては、ハウジング６００と同様に、例えばマグネシウム合金、アルミニウム合金、銅などの熱伝導率の高い金属で形成されていることが好ましいが、照明灯１００は軽量なほうが設置しやすくなるので、マグネシウム合金が好適である。
【００３８】
この複数の投光器２００、保護カバー３００及び複数の板状冷却フィン５００を取り付けた取付基板４００は、ハウジング６００の開口端６００ｂ側の１／２位のスペースに配置され、ハウジング６００の残りのスペースにおける上壁６００ｃ側の１／２位に電源ボックス６０１が配置されている。
【００３９】
このように、流入流路である外気取り入れ用空間Ｓより流入した外気が流れるための空気流路をハウジング６００内に形成した照明灯１００について、複数のＬＥＤが発光することにより発生する熱エネルギーを外部へ拡散する動作について説明する。
【００４０】
照明灯１００を点灯することで複数の投光器２００が発光すると、各ＬＥＤで発生した熱が取付基板４００を介して複数の板状冷却フィン５００に伝達するので、その複数の板状冷却フィン５００から放散された熱によって熱上昇気流が生じて外気取り入れ用空間Ｓから外気が吸い込まれる。その吸い込まれた外気は複数の板状冷却フィン５００間の狭い空間を通過することからベンチュリー効果により熱上昇気流の流速が増加して、通常の雰囲気状態よりも多量の空気が複数の板状冷却フィン５００間を通過することになる。さらに、複数の板状冷却フィン５００の放熱作用によって暖められた外気取り入れ用空間Ｓから入り込んだ外気は、例えば側面６０７に穿孔された複数のスリット６０９が複数の板状冷却フィン５００より上方に位置する場合には、熱上昇気流によって複数のスリット６０９から多くの空気が外部に放出される。
【００４１】
このように、外気を灯具空間内に効率よく取り込むと共にその外気を直接、板状冷却フィン５００に導き、さらにスリット６０９へと逃がすことができるので、冷却効率を大幅に高めることができる。したがって、発熱量の多いハイパワーＬＥＤに好適である。
【００４２】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【産業上の利用可能性】
【００４３】
本発明の照明灯は、駐車場、街路灯、ホール、列車の操作場、ビルのライトアップ等の照明として利用可能である。
【図面の簡単な説明】
【００４４】
【図１】本発明の照明灯による最良な実施の一形態を示す全体斜視図である。
【図２】図１の照明灯を示す正面図である。
【図３】図１の照明灯を示す平面図である。
【図４】図１の照明灯を示す左側面図である。
【図５】図１の照明灯を示す右側面図である。
【図６】図１の照明灯を示す底面図である。
【図７】図１の照明灯を示す背面図である。
【図８】図２の照明灯における断面ＸＸを示す断面図である。
【図９】図２の照明灯における断面ＹＹを示す断面図である。
【図１０】図７の照明灯における断面ＺＺを示す断面図である。
【図１１】本発明の照明灯の構成要素の一部である投光器、保護カバー及び複数の板状冷却フィンを取付基板に取り付けた状態を示す正面図である。
【図１２】図１１の取付基板の平面を示す図である。
【図１３】図１１の取付基板の左側面を示す図である。
【図１４】図１１の取付基板の右側面を示す図である。
【図１５】図１１の取付基板の底面を示す図である。
【図１６】図１１の取付基板の背面を示す図である。
【図１７】図１１の取付基板における断面ＸＸを示す断面図である。
【図１８】図１１の取付基板における断面ＹＹを示す断面図である。
【図１９】本発明の照明灯による他の実施の一形態を示す正面図である。
【図２０】図１９の照明灯の平面を示す図である。
【図２１】図１９の照明灯の左側面を示す図である。
【図２２】図１９の照明灯の右側面を示す図である。
【図２３】図１９の照明灯の底面を示す図である。
【図２４】図１９の照明灯の背面を示す図である。
【図２５】図１９の照明灯における断面ＸＸを示す断面図である。
【図２６】図１９の照明灯における断面ＹＹを示す断面図である。
【図２７】本発明の照明灯の構成要素の一部である投光器、保護カバー及び複数の板状冷却フィンを取付基板に取り付けた状態を示す正面図である。
【図２８】図２７の取付基板の平面を示す図である。
【図２９】図２７の取付基板の左側面を示す図である。
【図３０】図２７の取付基板の右側面を示す図である。
【図３１】図２７の取付基板の底面を示す図である。
【図３２】図２７の取付基板の背面を示す図である。
【図３３】図２７の取付基板における断面ＸＸを示す断面図である。
【図３４】図２７の取付基板における断面ＹＹを示す断面図である。
【符号の説明】
【００４５】
１、１００……照明灯
２、２００……投光器
３、３００……保護カバー
４、４００……取付基板
４ａ、４００ａ……一方の板面
４ｂ、４００ｂ……他方の板面
５、５００……板状冷却フィン
６、６００……ハウジング
６ｄ、６００ｄ……内周壁
６３、６０９、６１０……スリット
【図１】
2009238734.tif 000003
【図２】
2009238734.tif 000004
【図３】
2009238734.tif 000005
【図４】
2009238734.tif 000006
【図５】
2009238734.tif 000007
【図６】
2009238734.tif 000008
【図７】
2009238734.tif 000009
【図８】
2009238734.tif 000010
【図９】
2009238734.tif 000011
【図１０】
2009238734.tif 000012
【図１１】
2009238734.tif 000013
【図１２】
2009238734.tif 000014
【図１３】
2009238734.tif 000015
【図１４】
2009238734.tif 000016
【図１５】
2009238734.tif 000017
【図１６】
2009238734.tif 000018
【図１７】
2009238734.tif 000019
【図１８】
2009238734.tif 000020
【図１９】
2009238734.tif 000021
【図２０】
2009238734.tif 000022
【図２１】
2009238734.tif 000023
【図２２】
2009238734.tif 000024
【図２３】
2009238734.tif 000025
【図２４】
2009238734.tif 000026
【図２５】
2009238734.tif 000027
【図２６】
2009238734.tif 000028
【図２７】
2009238734.tif 000029
【図２８】
2009238734.tif 000030
【図２９】
2009238734.tif 000031
【図３０】
2009238734.tif 000032
【図３１】
2009238734.tif 000033
【図３２】
2009238734.tif 000034
【図３３】
2009238734.tif 000035
【図３４】
2009238734.tif 000036